(57)【要約】【課題】搬送ユニットの開閉負荷を低減するとともに、搬送ユニットが半開き状態になるのを抑制することが可能な画像形成装置を提供する。【解決手段】この画像形成装置１００は、第１ローラー１３ａおよび第２ローラー１３ｂからなるレジストローラー対１３と、搬送ユニット３３と、開口部３６ａを有して第２ローラー１３ｂを位置決めするガイド部材３６と、を備える。第２ローラー１３ｂは、搬送ユニット３３の回動中心Ｏ３３を中心として搬送ユニット３３と一体で回動する。搬送ユニット３３の回動中心Ｏ３３と第２ローラー１３ｂの中心Ｏ１３ｂとを結ぶ直線Ｌ１と、第２ローラー１３ｂの中心Ｏ１３ｂと第１ローラー１３ａの中心Ｏ１３ａとを結ぶ直線Ｌ２に垂直な直線Ｌ３と、のなす角θは、１０度以下である。【選択図】図４
2014232253.tif 000002
【特許請求の範囲】
【請求項１】
装置本体と、
前記装置本体内に配置され、記録媒体をニップして搬送する第１ローラーおよび第２ローラーからなるローラー対と、
前記装置本体の一側面に対して回動可能に設けられる搬送ユニットと、
前記第１ローラーの中心から前記第２ローラーの中心に向かう第１方向に開口する開口部を有するとともに、前記開口部に前記第２ローラーの端部が嵌め込まれることによって前記第２ローラーを位置決めするガイド部材と、
を備え、
前記第１ローラーは、前記装置本体側に回転可能に軸支されており、
前記第２ローラーは、前記搬送ユニット側に回転可能に軸支されているとともに、前記搬送ユニットの回動中心を中心として前記搬送ユニットと一体で回動し、
前記第２ローラーが前記第１ローラーに圧接した状態において、前記搬送ユニットの回動中心と前記第２ローラーの中心とを結ぶ直線を第１の直線、前記第２ローラーの中心と前記第１ローラーの中心とを結ぶ直線を第２の直線、前記第２ローラーの中心を通り前記第２の直線に垂直な直線を第３の直線とするとき、前記第１の直線と前記第３の直線とのなす角は、１０度以下であることを特徴とする画像形成装置。
【請求項２】
前記第２ローラーの中心は、前記第１ローラーの中心よりも下方に配置されており、
前記搬送ユニットの回動中心は、前記第２ローラーの中心よりも前記第１方向とは反対方向である第２方向側に配置されていることを特徴とする請求項１に記載の画像形成装置。
【請求項３】
前記搬送ユニットの回動中心は、前記第３の直線よりも前記第１方向側に配置されていることを特徴とする請求項１または２に記載の画像形成装置。
【請求項４】
前記ガイド部材は、前記開口部を形成する上側ガイド部および下側ガイド部を含み、
前記上側ガイド部のガイド面は、先端に向かって前記第２の直線から離れるように形成され、
前記下側ガイド部のガイド面は、前記第２の直線と略平行に形成されていることを特徴とする請求項３に記載の画像形成装置。
【請求項５】
前記ガイド部材は、前記第１ローラーの軸受を兼ねることを特徴とする請求項１〜４のいずれか１項に記載の画像形成装置。
【請求項６】
前記装置本体側に回転可能に軸支される第３ローラーと、
前記搬送ユニット側に回転可能に軸支され前記搬送ユニットと一体で回動するとともに、前記第３ローラーに圧接して前記記録媒体を搬送する第４ローラーと、
を備え、
前記第２ローラーは、前記第４ローラーよりも前記搬送ユニットの回動中心の近くに配置されていることを特徴とする請求項１〜５のいずれか１項に記載の画像形成装置。
【発明の詳細な説明】
【技術分野】
【０００１】
本発明は、画像形成装置に関し、特に、記録媒体をニップして搬送するローラー対と、ローラー対の一方のローラーを軸支するとともに装置本体に対して回動可能である搬送ユニットと、を備えた画像形成装置に関する。
【背景技術】
【０００２】
従来、シート状の用紙（記録媒体）をニップして搬送するローラー対と、ローラー対の一方のローラーを軸支するとともに装置本体に対して回動可能である搬送ユニットと、を備えた画像形成装置が知られている。
【０００３】
図７〜図９は、用紙をニップして搬送するローラー対５１３と、装置本体に対して回動可能な搬送ユニット５３３と、を備えた従来の画像形成装置の一例を示した図である。従来の画像形成装置の一例は図７に示すように、装置本体と、装置本体内に配置され、用紙をニップして搬送する第１ローラー５１３ａおよび第２ローラー５１３ｂからなるローラー対５１３と、装置本体の背面（一側面）に対して回動可能に設けられる搬送ユニット５３３と、を備える。
【０００４】
第１ローラー５１３ａは、装置本体側に回転可能に軸支される。第２ローラー５１３ｂは、搬送ユニット５３３によって回転可能に軸支されているとともに、搬送ユニット５３３の回動中心Ｏ５３３を中心として搬送ユニット５３３と一体で回動する。
【０００５】
ローラー対５１３の搬送精度を確保するためには、第１ローラー５１３ａに対して第２ローラー５１３ｂを精度良く位置決めする必要がある。このため、装置本体側にガイド部材５３６を設け、ガイド部材５３６の開口部５３６ａに第２ローラー５１３ｂの端部を嵌め込むことによって、第２ローラー５１３ｂを位置決めしている。図８に示すように、ガイド部材５３６の開口部５３６ａは、第１ローラー５１３ａの中心Ｏ５１３ａから第２ローラー５１３ｂの中心Ｏ５１３ｂに向かう方向に開口している。
【０００６】
なお、用紙をニップして搬送するローラー対と、ローラー対の一方のローラーを軸支するとともに装置本体に対して回動可能である搬送ユニットと、を備えた画像形成装置は、例えば特許文献１に開示されている。
【先行技術文献】
【特許文献】
【０００７】
【特許文献１】特開２００４−２９２７１号公報
【発明の概要】
【発明が解決しようとする課題】
【０００８】
しかしながら、従来の画像形成装置では、搬送ユニット５３３を回動する際の第２ローラー５１３ｂの中心Ｏ５１３ｂの軌跡は、図８のＲ５１３ｂになる。このため、搬送ユニット５３３を開いて図８の状態から図９の状態になる際に、第２ローラー５１３ｂがガイド部材５３６に干渉する。このため、開閉負荷が大きくなったり、搬送ユニット５３３が半開き状態で保持されたりするという問題点がある。
【０００９】
本発明は、上記のような課題を解決するためになされたものであり、本発明の目的は、搬送ユニットの開閉負荷を低減するとともに、搬送ユニットが半開き状態になるのを抑制することが可能な画像形成装置を提供することである。
【課題を解決するための手段】
【００１０】
上記目的を達成するために、本発明の画像形成装置は、装置本体と、装置本体内に配置され、記録媒体をニップして搬送する第１ローラーおよび第２ローラーからなるローラー対と、装置本体の一側面に対して回動可能に設けられる搬送ユニットと、第１ローラーの中心から第２ローラーの中心に向かう第１方向に開口する開口部を有するとともに、開口部に第２ローラーの端部が嵌め込まれることによって第２ローラーを位置決めするガイド部材と、を備え、第１ローラーは、装置本体側に回転可能に軸支されており、第２ローラーは、搬送ユニット側に回転可能に軸支されているとともに、搬送ユニットの回動中心を中心として搬送ユニットと一体で回動し、第２ローラーが第１ローラーに圧接した状態において、搬送ユニットの回動中心と第２ローラーの中心とを結ぶ直線を第１の直線、第２ローラーの中心と第１ローラーの中心とを結ぶ直線を第２の直線、第２ローラーの中心を通り第２の直線に垂直な直線を第３の直線とするとき、第１の直線と第３の直線とのなす角は、１０度以下である。
【発明の効果】
【００１１】
本発明によれば、第２ローラーを位置決めするガイド部材の開口部は、第１ローラーの中心から第２ローラーの中心に向かう第１方向に開口し、第２ローラーが第１ローラーに圧接した状態において、搬送ユニットの回動中心と第２ローラーの中心とを結ぶ直線を第１の直線、第２ローラーの中心と第１ローラーの中心とを結ぶ直線を第２の直線、第２ローラーの中心を通り第２の直線に垂直な直線を第３の直線とするとき、第１の直線と第３の直線とのなす角は、１０度以下である。これにより、ガイド部材の開口部において第２ローラーの移動方向と開口部の開口方向とが略一致するので、搬送ユニットを開閉する際に第２ローラーがガイド部材に干渉するのを抑制することができる。このため、搬送ユニットの開閉負荷を低減することができるとともに、搬送ユニットが半開き状態で保持されるのを抑制することができる。
【図面の簡単な説明】
【００１２】
【図１】本発明の一実施形態の画像形成装置の構造を概略的に示した断面図である。
【図２】本発明の一実施形態の画像形成装置のレジストローラー対周辺の構造を示した斜視図である。
【図３】本発明の一実施形態の画像形成装置のレジストローラー対周辺の構造を示した側面図である。
【図４】本発明の一実施形態の画像形成装置の側壁部等を除いたレジストローラー対周辺の構造を示した側面図である。
【図５】本発明の一実施形態の画像形成装置の搬送ユニットの開閉途中におけるレジストローラー対周辺の構造を示した側面図である。
【図６】本発明の一実施形態の画像形成装置の搬送ユニットの開閉途中におけるレジストローラー対周辺の構造を示した側面図である。
【図７】用紙をニップして搬送するローラー対と、装置本体に対して回動可能な搬送ユニットと、を備えた従来の画像形成装置の一例を示した斜視図である。
【図８】図７に示した従来の画像形成装置のレジストローラー対周辺の構造を示した側面図である。
【図９】図７に示した従来の画像形成装置の搬送ユニットの開閉途中におけるレジストローラー対周辺の構造を示した側面図である。
【発明を実施するための形態】
【００１３】
以下、本発明の実施形態について図面を参照して説明する。
【００１４】
図１〜図６を参照して、本発明の一実施形態による画像形成装置１００について説明する。図１に示すように、画像形成装置１００（ここでは一例としてモノクロ複写機を示す）本体には、帯電、露光、現像及び転写の各工程によりモノクロ画像を形成する画像形成部８が配設されている。
【００１５】
次に、画像形成部８について説明する。回転自在に配設された感光体ドラム１の周囲には、感光体ドラム１を帯電させる帯電装置２と、感光体ドラム１に画像情報を露光する露光装置（レーザー走査ユニット等）４と、感光体ドラム１上にトナー像を形成する現像装置３と、感光体ドラム１上に残留したトナーを除去するクリーニング装置５とが配置されている。また、感光体ドラム１の表面の残留電荷を除去する除電装置（図示せず）が感光体ドラム１の回転方向（図１の矢印Ａ方向）に対しクリーニング装置５の下流側に設けられている。感光体ドラム１を矢印Ａ方向に回転させながら、感光体ドラム１に対する画像形成プロセスが実行される。
【００１６】
トナー像が転写される用紙（記録媒体）Ｐは、装置下部の給紙カセット１６内に収容されており、給紙ローラー１２及びレジストローラー対（ローラー対）１３を介して感光体ドラム１と転写ローラー９との間のニップへと搬送される。
【００１７】
画像読取部２０は、複写時に原稿を照明するスキャナーランプや原稿からの反射光の光路を変更するミラーが搭載された走査光学系、原稿からの反射光を集光して結像する集光レンズ、及び結像された画像光を電気信号に変換するＣＣＤセンサー等（いずれも図示せず）から構成されており、原稿画像を読み取って画像データに変換する。
【００１８】
コピー動作を行う場合、画像読取部２０において原稿の画像データを読み取り画像信号に変換する。一方、画像形成装置１００本体内の画像形成部８において、帯電装置２により図中のＡ方向に回転する感光体ドラム１が一様に帯電され、画像読取部２０で読み取られた原稿画像データに基づく露光装置４からのレーザービームにより感光体ドラム１上に静電潜像が形成され、現像装置３により静電潜像にトナーが付着されてトナー像が形成される。この現像装置３へのトナーの供給はトナーコンテナ６から行われる。
【００１９】
上記のようにトナー像が形成された感光体ドラム１に向けて、用紙が給紙カセット１６から用紙搬送路１９及びレジストローラー対１３を経由して画像形成部８に搬送され、この画像形成部８において転写ローラー９により感光体ドラム１の表面に形成されたトナー像が用紙に転写される。その後、引き続き行われる新たな静電潜像の形成に備え、感光体ドラム１の表面に残留したトナーがクリーニング装置５により除去される。
【００２０】
そして、用紙Ｐがレジストローラー対１３から所定のタイミングで感光体ドラム１と転写ローラー９とのニップ部（転写ニップ部）へ搬送され、ニップ部において用紙Ｐ上にトナー像が転写される。トナー像が転写された用紙Ｐは定着部７へと搬送される。
【００２１】
定着部７に搬送された用紙Ｐは、定着ローラー対１４のニップ部（定着ニップ部）を通過する際に加熱及び加圧されてトナー像が用紙Ｐの表面に定着され、所定の画像が形成される。画像が形成された用紙Ｐは、搬送ローラー対１５を経て用紙搬送路１９の分岐部に配置された搬送ガイド部材２１によって搬送方向が振り分けられ、そのまま（或いは、反転搬送路２３に送られて両面コピーされた後に）、排出ローラー対２５を介して排出トレイ１８に排出される。
【００２２】
用紙搬送路１９は、具体的には、搬送ローラー対１５の下流側において左右二股に分岐し、一方の経路（図１では右方向に分岐する経路）は排出トレイ１８に連通するように構成されている。そして、他方の経路（図１では左方向に分岐する経路）は反転搬送路２３に連通するように構成されている。
【００２３】
本発明の画像形成装置１００は、装置の背面に沿って略Ｃ字状の反転搬送路２３を設けた構造（背面Ｃパス）となっており、図２及び図３に示すように、反転搬送路２３の一部を構成する搬送ユニット３３が、装置本体の背面（一側面）に対して回動可能に設けられている。さらに、搬送ユニット３３の外面には、カバー部材３５（図１参照）が装置本体に対して回動可能に設けられる。カバー部材３５は、回動中心Ｏ３５（図１参照）を中心として回動可能であり、閉状態において搬送ユニット３３に対向して反転搬送路２３の一部を構成し、開状態において搬送ユニット３３から退避して反転搬送路２３が開放される。
【００２４】
搬送ユニット３３は、反転搬送路２３の一部および用紙搬送路１９の一部を構成する。搬送ユニット３３は、回動中心Ｏ３３（図３参照）を中心として回動可能である。なお、搬送ユニット３３の回動軸３３ａは、装置本体側に設けられた側壁部３０に回動可能に軸支されている。また、搬送ユニット３３の上部には、画像形成装置１００本体側の係合部（図示せず）に係合して搬送ユニット３３を閉状態に保持するフック部（図示せず）が設けられている。
【００２５】
レジストローラー対１３は、第１ローラー１３ａおよび第２ローラー１３ｂからなり用紙Ｐをニップして搬送する。第１ローラー１３ａは、装置本体側に回転可能に軸支されている。第２ローラー１３ｂは、搬送ユニット３３に回転可能に軸支されているとともに、回動中心Ｏ３３を中心として搬送ユニット３３と一体で回動する。
【００２６】
また、装置本体側には、第２ローラー１３ｂの端部が嵌め込まれる開口部３６ａを有するガイド部材３６が設けられている。これにより、第１ローラー１３ａに対して第２ローラー１３ｂを精度良く位置決めすることが可能であるので、レジストローラー対１３の搬送精度を確保することが可能である。なお、ガイド部材３６は、第１ローラー１３ａの軸部を回転可能に軸支しており、第１ローラー１３ａの軸受を兼ねている。
【００２７】
図４に示すように、ガイド部材３６の開口部３６ａは、第１ローラー１３ａの中心Ｏ１３ａから第２ローラー１３ｂの中心Ｏ１３ｂに向かうＢ方向（第１方向）に開口している。ガイド部材３６は、開口部３６ａを形成する上側ガイド部３６ｂおよび下側ガイド部３６ｃを含む。この上側ガイド部３６ｂのガイド面は、先端に向かって（Ｂ方向に向かって）直線Ｌ２から離れるように形成されている。なお、直線Ｌ２は、第２ローラー１３ｂの中心Ｏ１３ｂと第１ローラー１３ａの中心Ｏ１３ａとを結ぶ直線（第２の直線）である。下側ガイド部３６ｃのガイド面は、直線Ｌ２と略平行に形成されている。
【００２８】
搬送ユニット３３には、第２ローラー１３ｂをＣ方向（Ｂ方向とは反対方向、第２方向）に付勢する圧縮コイルバネ３７が設けられている。これにより、搬送ユニット３３を閉じた状態において、第２ローラー１３ｂは第１ローラー１３ａに圧接する。
【００２９】
第２ローラー１３ｂが第１ローラー１３ａに圧接した状態（図４の状態）において、搬送ユニット３３の回動中心Ｏ３３と第２ローラー１３ｂの中心Ｏ１３ｂとを結ぶ直線（第１の直線）Ｌ１と、第２ローラー１３ｂの中心Ｏ１３ｂを通り直線Ｌ２に垂直な直線（第３の直線）Ｌ３と、のなす角θは、１０度以下である。図４では、直線Ｌ１と直線Ｌ３とのなす角θは、約５度に設定されている。
【００３０】
第２ローラー１３ｂの中心Ｏ１３ｂは、第１ローラー１３ａの中心Ｏ１３ａよりも下方に配置されている。搬送ユニット３３の回動中心Ｏ３３は、第２ローラー１３ｂの中心Ｏ１３ｂよりもＣ方向側（装置本体の背面（一側面）とは反対側、図４の右側）に配置されている。また、搬送ユニット３３の回動中心Ｏ３３は、第２ローラー１３ｂの中心Ｏ１３ｂを通過する直線Ｌ３よりもＢ方向側に配置されている。
【００３１】
また、搬送ユニット３３には図２に示すように、転写ローラー（第４ローラー）９が回転可能に軸支されている。この転写ローラー９は、第２ローラー１３ｂと同様、搬送ユニット３３と一体で回動するとともに、装置本体側に回転可能に軸支される感光体ドラム（第３ローラー）１に圧接する。また、感光体ドラム１（図１参照）に対する転写ローラー９の位置決め精度を確保するために、転写ローラー９の端部が嵌め込まれる開口部を有するガイド部材（図示せず）が設けられている。なお、転写ローラー９は、第２ローラー１３ｂよりも搬送ユニット３３の回動中心Ｏ３３から離れた位置に配置されている。
【００３２】
この画像形成装置１００では、搬送ユニット３３を回動する際の第２ローラー１３ｂの中心Ｏ１３ｂの軌跡は、図４のＲ１３ｂになる。すなわち、ガイド部材３６の開口部３６ａにおいて第２ローラー１３ｂの中心Ｏ１３ｂの軌跡Ｒ１３ｂは、開口部３６ａの開口方向と略一致する。このため、回動中心Ｏ３３を中心として搬送ユニット３３を回動すると、第２ローラー１３ｂは図５および図６に示すように回動し、ガイド部材３６に対する第２ローラー１３ｂの干渉を抑制することが可能である。
【００３３】
本実施形態では、上記のように、ガイド部材３６の開口部３６ａは、第１ローラー１３ａの中心Ｏ１３ａから第２ローラー１３ｂの中心Ｏ１３ｂに向かうＢ方向に開口し、第２ローラー１３ｂが第１ローラー１３ａに圧接した状態において、搬送ユニット３３の回動中心Ｏ３３と第２ローラー１３ｂの中心Ｏ１３ｂとを結ぶ直線Ｌ１と、第２ローラー１３ｂの中心Ｏ１３ｂを通り直線Ｌ２に垂直な直線Ｌ３と、のなす角θは、１０度以下である。これにより、ガイド部材３６の開口部３６ａにおいて第２ローラー１３ｂの移動方向（軌跡Ｒ１３ｂ）と開口部３６ａの開口方向とが略一致するので、搬送ユニット３３を開閉する際に第２ローラー１３ｂがガイド部材３６に干渉するのを抑制することができる。このため、搬送ユニット３３の開閉負荷を低減することができるとともに、搬送ユニット３３が半開き状態で保持されるのを抑制することができる。
【００３４】
また、上記のように、第２ローラー１３ｂの中心Ｏ１３ｂが第１ローラー１３ａの中心Ｏ１３ａよりも下方に配置されている場合に、搬送ユニット３３の回動中心Ｏ３３を、第２ローラー１３ｂの中心Ｏ１３ｂよりもＣ方向側（装置本体の背面（一側面）とは反対側）に配置することによって、直線Ｌ１と直線Ｌ３とのなす角θを、容易に１０度以下にすることができる。
【００３５】
また、上記のように、搬送ユニット３３の回動中心Ｏ３３は、直線Ｌ３よりもＢ方向側に配置されている。これにより、搬送ユニット３３の回動中心Ｏ３３が装置本体の内寄り（図４の右側）の位置に配置されるのを抑制することができる。このため、搬送ユニット３３が回動中心Ｏ３３を中心として回動する際に搬送ユニット３３の下部が装置本体に干渉するのを抑制することができる。
【００３６】
また、上記のように、上側ガイド部３６ｂのガイド面を、先端に向かって直線Ｌ２から離れるように形成することによって、搬送ユニット３３の回動中心Ｏ３３が直線Ｌ３よりもＢ方向側に配置されている場合であっても、搬送ユニット３３を開閉する際に第２ローラー１３ｂが上側ガイド部３６ｂに干渉するのを抑制することができる。
【００３７】
また、上記のように、ガイド部材３６は、第１ローラー１３ａの軸受を兼ねる。これにより、１つの部材で第１ローラー１３ａと第２ローラー１３ｂとを位置決めすることができるので、第１ローラー１３ａと第２ローラー１３ｂとの相対位置精度を容易に向上させることができる。
【００３８】
また、上記のように、搬送ユニット３３側に複数のローラー（第２ローラー１３ｂおよび転写ローラー９）が取り付けられている場合、回動中心Ｏ３３に近いローラー（第２ローラー１３ｂ）の方が、回動時の軌跡の半径が小さくなるので、ガイド部材３６に干渉しやすい。このため、回動中心Ｏ３３に近いローラー（第２ローラー１３ｂ）に本発明の構成（直線Ｌ１と直線Ｌ３とのなす角θは１０度以下である）を適用することは、特に効果的である。
【００３９】
次に、直線Ｌ１と直線Ｌ３とのなす角θを１０度以下にしたことによる効果を確認するために行った確認実験について説明する。
【００４０】
この確認実験は、本実施形態に対応した実施例１、２と、比較例１〜４とについて、シミュレーションにより行った。
【００４１】
実施例１および２では、直線Ｌ１と直線Ｌ３とのなす角θを、それぞれ、０度および１０度とした。このとき、第２ローラー１３ｂの中心Ｏ１３ｂを中心として搬送ユニット３３の回動中心Ｏ３３を所定の角度だけ回動させることによって、回動中心Ｏ３３の位置を設定した。なお、実施例１および２のその他の構成は、上記実施形態と同様にした。
【００４２】
比較例１〜４では、直線Ｌ１と直線Ｌ３とのなす角θを、それぞれ、２０度、３０度、４０度および５０度とした。なお、比較例１〜４のその他の構成は、実施例１および２と同様にした。
【００４３】
そして、実施例１、２、比較例１〜４について、搬送ユニット３３の開閉時にかかる負荷を比較した。その結果を表１に示す。なお、負荷をほとんど感じないものを○、負荷を少し感じるものを△、負荷が大きいものを×として表示している。
【００４４】
【表１】
2014232253.tif 000003
【００４５】
表１を参照して、直線Ｌ１と直線Ｌ３とのなす角θが０度および１０度の場合は、搬送ユニット３３の開閉時の負荷がほとんど感じないほど小さいことが判明した。角θが２０度の場合は、搬送ユニット３３の開閉時の負荷が少しあることが判明した。角θが３０度、４０度および５０度の場合は、搬送ユニット３３の開閉時の負荷が大きいことが判明した。以上から、直線Ｌ１と直線Ｌ３とのなす角θを１０度以下にすることによって、搬送ユニット３３の開閉負荷を十分に低減することができることを確認できた。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
例えば、モノクロ複写機に本発明を適用した例について示したが、本発明はこれに限らない。言うまでもなく、カラー複写機、カラープリンター、モノクロプリンター、デジタル複合機、ファクシミリ等の、ローラー対と搬送ユニットとを備えた種々の画像形成装置に本発明を適用できる。
【００４８】
また、上記実施形態では、ローラー対としてレジストローラー対を用いた例について示したが、本発明はこれに限らず、レジストローラー対以外のローラー対を用いてもよい。
【００４９】
また、上記実施形態では、搬送ユニット３３側に複数のローラー（第２ローラー１３ｂおよび転写ローラー９）が取り付けられている場合に、回動中心Ｏ３３に近いローラー（第２ローラー１３ｂ）について、本発明の構成を適用した例について示したが、本発明はこれに限らない。搬送ユニット側に複数のローラーが取り付けられている場合に、その全てのローラーについて、本発明の構成を適用してもよい。
【００５０】
また、上記実施形態では、第２ローラーの中心を第１ローラーの中心よりも下方に配置し、搬送ユニットの回動中心を第２ローラーの中心よりも第２方向側に配置した例について示したが、第２ローラーの中心を第１ローラーの中心よりも上方に配置し、搬送ユニットの回動中心を第２ローラーの中心よりも第１方向側に配置してもよい。
【００５１】
また、上記実施形態では、搬送ユニットの回動中心を第３の直線よりも第１方向側に配置した例について示したが、本発明はこれに限らない。搬送ユニットの回動中心を第３の直線上に配置してもよい。また、搬送ユニットの回動中心を第３の直線よりも第２方向側に配置してもよい。
【００５２】
また、上記実施形態では、上側ガイド部のガイド面を先端に向かって第２の直線から離れるように形成し、下側ガイド部のガイド面を第２の直線と略平行に形成した例について示したが、本発明はこれに限らない。例えば、上側ガイド部および下側ガイド部の両方のガイド面を先端に向かって第２の直線から離れるように形成してもよい。また、上側ガイド部および下側ガイド部の両方のガイド面を第２の直線と略平行に形成してもよい。
【符号の説明】
【００５３】
１  感光体ドラム（第３ローラー）
９  転写ローラー（第４ローラー）
１３  レジストローラー対（ローラー対）
１３ａ  第１ローラー
１３ｂ  第２ローラー
３３  搬送ユニット
３６  ガイド部材
３６ａ  開口部
３６ｂ  上側ガイド部
３６ｃ  下側ガイド部
１００  画像形成装置
Ｌ１  直線（第１の直線）
Ｌ２  直線（第２の直線）
Ｌ３  直線（第３の直線）
Ｏ１３ａ、Ｏ１３ｂ  中心
Ｏ３３  回動中心
Ｐ  用紙（記録媒体）
θ  角
【図１】
2014232253.tif 000004
【図２】
2014232253.tif 000005
【図３】
2014232253.tif 000006
【図４】
2014232253.tif 000007
【図５】
2014232253.tif 000008
【図６】
2014232253.tif 000009
【図７】
2014232253.tif 000010
【図８】
2014232253.tif 000011
【図９】
2014232253.tif 000012